(57)【要約】  ファスナーを締緩するための装置に対して流体を供給するための器具において、装置のハウジングに連結可能である第１の軸を有する第１の流体伝達要素（１３０）と；第１の軸に対して実質的に垂直な第２の軸を中心として第１の流体伝達要素（１３０）と回転自在に連結可能な第２の流体伝達要素（１４０）と；第２の軸に対して実質的に垂直な第３の軸を中心として第２の流体伝達要素（１４０）と回転自在に連結可能でありかつ流体伝達ラインと連結可能である第３の流体伝達要素（１５０）と；第１、第２および第３の流体伝達要素を通して、装置および流体伝達ラインへおよびそれらから流体を移送する第１および第２の流体導管と；を具備する器具。第１の流体伝達要素は第１の軸を中心にして３６０°回転可能であり；第２の流体伝達要素は第２の軸を中心にして３６０°回転可能であり；第３の流体伝達要素は第３の軸を中心として３６０°未満回転可能である。
2014529716.tif 000002
【特許請求の範囲】
【請求項１】
ファスナーを締緩するための装置に対して流体を供給するための器具であって、
装置のハウジングに連結可能である第１の軸を有する第１の流体伝達要素と；
第２の軸を中心として第１の流体伝達要素と回転自在に連結可能な第２の流体伝達要素と；
第３の軸を中心として第２の流体伝達要素と回転自在に連結可能でありかつ流体伝達ラインと連結可能である第３の流体伝達要素と；
第１、第２および第３の流体伝達要素を通して、装置および流体伝達ラインへおよびそれらから流体を移送する第１および第２の流体導管と；
を具備する、
ことを特徴とする器具。
【請求項２】
ファスナーを締緩するための装置であって、装置に対し流体を供給するための器具を有するものにおいて、
装置のハウジングに連結可能である第１の軸を有する第１の流体伝達要素と；
第２の軸を中心として第１の流体伝達要素と回転自在に連結可能な第２の流体伝達要素と；
第３の軸を中心として第２の流体伝達要素と回転自在に連結可能でありかつ第１及び第２の流体伝達ラインと連結可能である第３の流体伝達要素と；
第１、第２および第３の流体伝達要素を通して、装置および流体伝達ラインへおよびそれらから流体を移送する第１および第２の流体導管と；
を具備する、
ことを特徴とする装置。
【請求項３】
第２の軸が第１の軸に対し実質的に垂直であり；
第３の軸が第２の軸に対し実質的に垂直である；
ことを特徴とする請求項１または２に記載の器具。
【請求項４】
第１の流体伝達要素が、装置ハウジングの一方の側面または装置ハウジングの反作用支持部分のいずれかと連結可能である、ことを特徴とする請求項１、２または３に記載の器具。
【請求項５】
第１の流体伝達要素が、装置ハウジングの第１の軸を中心として反作用支持部分と回転自在に連結可能であり、第１の軸が装置ハウジングの外側表面に対し実質的に平行である、ことを特徴とする請求項４に記載の器具。
【請求項６】
第１の流体伝達要素が第１の軸を中心にして３６０°回転可能であり；
第２の流体伝達要素が第２の軸を中心にして３６０°回転可能であり；
第３の流体伝達要素が第３の軸を中心として３６０°未満回転可能である；
ことを特徴とする請求項５に記載の器具。
【請求項７】
装置、器具および／または流体伝導ラインの自由な運動を可能にして、装置、器具および／または流体伝導ラインのいずれかの部分がファスナーの締緩の適用と干渉するのを回避する、ことを特徴とする請求項５または６に記載の器具。
【請求項８】
ファスナーの締緩の適用に関連して装置の寸法が増大するのを回避する、ことを特徴とする請求項５、６または７に記載の器具。
【請求項９】
オペレータが装置を見たときに器具が見えないように位置付け可能である、ことを特徴とする請求項５、６、７または８に記載の器具。
【請求項１０】
第３の軸に対して実質的に垂直である第４の軸を中心にして第３の流体伝達要素と回転自在に連結可能であり流体伝導ラインと連結可能である、第４の流体伝導要素、を含み、
第１および第２の流体導管が、第１、第２、第３および第４の流体伝達要素を通して装置および流体伝導ラインへおよびそれから流体を移送する、
ことを特徴とする請求項４に記載の器具。
【請求項１１】
第４の軸が第３の軸に対し実質的に垂直である、ことを特徴とする請求項１０に記載の器具。
【請求項１２】
第４の流体伝達要素が第４の軸を中心にして３６０°回転可能である、ことを特徴とする請求項１１に記載の器具。
【請求項１３】
装置、器具および／または流体伝導ラインの自由な運動を可能にして、装置、器具および／または流体伝導ラインのいずれかの部分がファスナーの締めまたは緩めの適用と干渉するのを回避する、
ことを特徴とする請求項１１または１３に記載の器具。
【請求項１４】
ファスナーの締めまたは緩めの適用に関連して装置の寸法が増大するのを回避する、ことを特徴とする請求項１１、１２または１３に記載の器具。
【請求項１５】
オペレータが装置を見たときに器具が見えないように位置付け可能である、ことを特徴とする請求項１１、１２、１３または１４に記載の器具。
【請求項１６】
第１の流体伝達要素が、装置ハウジングの側面と連結可能であり、第１の軸が装置ハウジングの外側表面に対し実質的に垂直である、ことを特徴とする請求項４に記載の器具。
【請求項１７】
第１の流体伝達要素が第１の軸を中心にして３６０°回転可能であり；
第２の流体伝達要素が第２の軸を中心にして３６０°未満回転可能であり；
第３の流体伝達要素が第３の軸を中心として３６０°回転可能である、
ことを特徴とする請求項１６に記載の器具。
【請求項１８】
装置、器具および／または流体伝導ラインの自由な運動を可能にして、装置、器具および／または流体伝導ラインのいずれかの部分がファスナーの締めまたは緩めの適用と干渉するのを回避する、ことを特徴とする請求項１６または１７に記載の器具。
【請求項１９】
ファスナーの締めまたは緩めの適用に関連して装置の寸法が増大するのを回避する、ことを特徴とする請求項１６、１７または１８に記載の器具。
【請求項２０】
オペレータが装置を見たときに器具が見えないように位置付け可能である、ことを特徴とする請求項１６、１７、１８または１９に記載の器具。
【請求項２１】
第１の流体伝達要素が装置ハウジングに対し別個に、個別に、かつ独立して取付け可能であり；
第２の流体伝達要素が第１の流体伝達要素に対して別個に、個別にかつ独立して取付け可能であり；
第３の流体伝達要素が第２の流体伝達要素に対して別個に、個別にかつ独立して取付け可能である、
ことを特徴とする請求項１〜２０のいずれかに記載の器具。
【請求項２２】
装置が空気圧式または油圧式のいずれかで駆動される、ことを特徴とする請求項１〜２１のいずれかに記載の器具。
【請求項２３】
実質的に添付図面を参照して以上に記載した通りかつ添付図面に示されている通りのファスナーを締緩するための装置に対して流体を供給するための器具。
【請求項２４】
添付図面を参照して本明細書中に記載されかつ添付図面中に示されている通りのいずれかの新規の特徴または新規の特徴組合せ。
【請求項２５】
１９９０年５月１日を発行日とする「スイベルコネクタ」という名称の米国特許第４，９２１，０１０号（Ｕ．Ｓ．Ｐａｔｅｎｔ  Ｎｏ．４，９２１，０１０）；
１９９０年１０月９日を発行日とする「液体消費装置を液体供給源に連結するための連結装置」という名称の米国特許第４，９６１，４４５号（Ｕ．Ｓ．Ｐａｔｅｎｔ  Ｎｏ．４，９６１，４４５）；
１９９４年５月１７日を発行日とする「油圧式工具」という名称の米国特許第５，３１１，７９６号（Ｕ．Ｓ．Ｐａｔｅｎｔ  Ｎｏ．５，３１１，７９６）；
２０００年７月１８日を発行日とする「流体作動式工具を流体供給源に連結するためのマルチスイベルコネクタ」という名称の米国特許第６，０８９，２６５号（Ｕ．Ｓ．Ｐａｔｅｎｔ  Ｎｏ．６，０８９，２６５）、を含めた、参照により本明細書にそのコピーが援用されている共同所有された特許中で請求され開示されている技術を用いて、実質的に以上で記述した通りのファスナーを締緩するための装置に対して流体を供給するための器具。
【発明の詳細な説明】
【技術分野】
【０００１】
本出願は、コピー全体が参照により本明細書に援用されている２０１１年８月３０日を出願日とし「ネジ込み式ファスナーを締めるための器具」という名称の同時係属米国特許出願第６１／５２８，８１４号（Ｕ．Ｓ．Ａｐｐｌｉｃａｔｉｏｎ  Ｓｅｒｉａｌ  Ｎｏ．６１／５２８，８１４）の継続出願である。
【０００２】
本出願に開示されている革新は、コピー全体が参照により本明細書に援用されている以下の共同所有された発行済み特許中で開示された技術を進歩させるものである：
１９９０年５月１日を発行日とする「スイベルコネクタ」という名称の米国特許第４，９２１，０１０号（Ｕ．Ｓ．Ｐａｔｅｎｔ  Ｎｏ．４，９２１，０１０）；
１９９０年１０月９日を発行日とする「液体消費装置を液体供給源に連結するための連結装置」という名称の米国特許第４，９６１，４４５号（Ｕ．Ｓ．Ｐａｔｅｎｔ  Ｎｏ．４，９６１，４４５）；
１９９４年５月１７日を発行日とする「油圧式工具」という名称の米国特許第５，３１１，７９６号（Ｕ．Ｓ．Ｐａｔｅｎｔ  Ｎｏ．５，３１１，７９６）；および、
２０００年７月１８日を発行日とする「流体作動式工具を流体供給源に連結するためのマルチスイベルコネクタ」という名称の米国特許第６，０８９，２６５号（Ｕ．Ｓ．Ｐａｔｅｎｔ  Ｎｏ．６，０８９，２６５）。
【０００３】
本発明は、流体を消費装置に供給するため、例えば油圧または空気圧流体を流体作動式工具に供給するためのスイベルコネクタに関する。
【背景技術】
【０００４】
公知のスイベルコネクタは、流体作動式工具と流体動力源の間で流体ホースをキンク無く維持するのを補助する。このようなスイベルコネクタは、工具のハウジングのまわりで３６０°そして工具ハウジングに対し垂直に約１８０°回転させることができる。このような工具とその供給源との間のホース長は一様でなく、３０．５ｍｍ（１００フィート）を超える場合もある。このような工具の作動中、油圧および空気圧流体は、１０，０００ｐｓｉ〜３０，０００ｐｓｉの圧力をおよぼす可能性があり、これが流体ホースを硬直させる。このような高い圧力に対処するため、油圧および空気圧流体ホースの直径は典型的に大きいものである。このような流体ホースが工具の作動中にもつれた場合、工具の操作および位置づけは困難になる。多くの場合工具の重量は４５．４ｋｇ（１００ポンド）を超え、ホースをほどくために工具を単に回転させること自体、実行不可能とまでは言わないものの困難である。
【発明の概要】
【発明が解決しようとする課題】
【０００５】
したがって、本発明はこれらの問題に対処するべく考案された。
【課題を解決するための手段】
【０００６】
本発明の第１の態様によると、ファスナーを締緩するための装置に対して流体を供給するための器具において、
装置のハウジングに連結可能である第１の軸を有する第１の流体伝達要素と；
第１の軸に対して実質的に垂直な第２の軸を中心として第１の流体伝達要素と回転自在に連結可能な第２の流体伝達要素と；
第２の軸に対して実質的に垂直な第３の軸を中心として第２の流体伝達要素と回転自在に連結可能でありかつ流体伝達ラインと連結可能である第３の流体伝達要素と；
第１、第２および第３の流体伝達要素を通して、装置および流体伝達ラインへおよびそれらから流体を移送する第１および第２の流体導管と；
を具備する器具が提供される。
【０００７】
有利には、器具が工具の反作用部分に取付けられた場合、第１の流体伝達要素は第１の軸を中心にして３６０°回転可能であり；第２の流体伝達要素は第２の軸を中心にして３６０°回転可能であり；第３の流体伝達要素は第３の軸を中心として３６０°未満回転可能である。器具は、工具、器具および／または流体伝導ラインの自由な運動を可能にして、工具、器具および／または流体伝導ラインのいずれかの部分がファスナーの締緩と干渉するのを回避する。器具は、ファスナーの締緩に関連して工具の寸法が増大するのを回避する。器具は、オペレータが工具を見たときに器具が見えないように位置づけ可能である。そしてオペレータは、工具の作動中に流体伝導ラインを容易にほどくことができる。
【０００８】
本発明について、単なる一例として添付図面を参照しながら記述することができる。
【図面の簡単な説明】
【０００９】
【図１】工具ピストンアセンブリおよび工具ハウジングの反作用部分に取付けられたスイベルコネクタアセンブリを示す断面図である。
【図２】スイベルコネクタアセンブリの諸部分の内部部品を示す断面図である。
【図３】図２の前面図である。
【図４】図２および３の斜視断面図である。
【図５】スイベルコネクタアセンブリの斜視図である。
【図６】工具ハウジングの反作用部分に取付けられたスイベルコネクタアセンブリの前面図である。
【図７】図６の斜視図である。
【図８Ａ】図６および７の側面図である。
【図８Ｂ】９０°回転させたスイベルコネクタアセンブリを伴う工具の側面図である。
【図９】工具ハウジングの側面部分に取付けられた別のスイベルコネクタアセンブリの内部部品を示す側面図である。
【図１０】図９の内部部品を示す上面図である。
【図１１】図９の別のスイベルコネクタアセンブリの斜視図である。
【発明を実施するための形態】
【００１０】
一例としての図１〜８Ｂを参照すると、これらの図は、ネジ込み式ファスナーを締緩するための工具１のハウジング２の反作用支持部分３に取付けできるスイベルコネクタアセンブリ１００およびシリンダーピストンアセンブリ４を示している。
【００１１】
図１〜７にその諸部分が示されていない工具１は、２つのハウジング部分つまりシリンダ部分と駆動部分を有するハウジング２を具備する。シリンダーピストンアセンブリ４は、シリンダ部分の中に配置され、シリンダ５と、ピストン軸つまり第１の軸Ａ100に沿ってシリンダ５内を往復運動できるピストン６と、ピストン６に連結されたピストンロッド７とを具備する。図示されていないが、公知のレバータイプのラチェット機構が駆動部分の中に配置されており、シリンダーピストンアセンブリ４に連結されそれによって駆動可能であり、ラチェットを具備する。ラチェットは、ピストン軸Ａ100に垂直である回転力軸を中心にして回転可能である。ラチェットは駆動要素と連結され、この流体伝達要素は、工具１の作動中回転力軸を中心として一方向に作用する第１の回転力を受ける。第１の回転力は、回転する駆動要素に取付けられたディープウェルヘックスソケットを回転させ、これがファスナーを回転させる。シリンダ部分の一部分の上に形成された反作用支持部分３が、工具１の作動中に別の方向で回転力軸を中心にして作用する第２の回転力つまり反作用力を受け取る。反作用支持部分３は、ピストン軸Ａ100を中心にした環状本体で形成されている。任意の公知の構成要素を有するネジ込み式ファスナーを締緩するための任意の公知の流体作動型工具を工具１の代わりに使用してよいという点に留意されたい。
【００１２】
スイベルコネクタアセンブリ１００は、工具１に対して油圧流体を供給し、第１の軸Ａ100を中心にしてハウジング２と回転自在に連結可能である第１の流体伝導要素１３０と；第１の軸Ａ100に実質的に垂直な第２の軸Ｂ100を中心にして第１の流体伝導要素１３０と回転自在に連結可能である第２の流体伝導要素１４０と；第２の軸Ｂ100に実質的に垂直な第３の軸Ｃ100を中心にして第２の流体伝導要素１４０と回転自在に連結可能でありかつ流体伝導ライン（単複）（図示せず）と連結可能である第３の流体伝導要素１５０とを具備する。図２および４にさらに明確に示されている第１および第２の流体導管１２１および１２２が、第１、第２および第３の流体伝導要素１３０、１４０および１５０を通して工具１００および流体伝導ラインへおよびそれらから流体を移送する。第１の軸Ａ100が、ハウジング２の外側表面に対して実質的に平行であるという点に留意されたい。
【００１３】
スイベルコネクタアセンブリ１００は、以下の構成要素部品を具備する。第１の流体伝導要素１３０は、スイベルコネクタアセンブリエンドキャップ１０４；スイベルコネクタアセンブリブラケット１０２；スイベルコネクタアセンブリ支柱１０１；およびスイベルコネクタアセンブリエンドキャップカバー１１０を具備する。スイベルコネクタアセンブリ１００は、スイベルコネクタアセンブリ保持用ナット１０３；スイベルコネクタアセンブリブラケット止めネジ１０６；スイベル／ピストンＯリング１０７；およびスイベルコネクタアセンブリ固定ネジ１０９によって、工具１に連結される。
【００１４】
第２の流体伝導要素１４０は、スイベルコネクタアセンブリ接合ブロック１０５を具備する。第２の流体伝導要素１４０は、スイベルブロック／ブラケットＯリング１０８；スイベルブロック／ブラケット支柱保持用リング１１２；およびスイベルブロック／ブラケット支柱座金１１８により第１の流体伝導要素１３０に連結されている。
【００１５】
第３の流体伝導要素１５０は、底面および上面スイベルヨーク部分１１４を伴うスイベルヨーク１１３；およびメス型およびオス型スイベルヨーク流体カプラ（図８Ａに図示）を具備する。第３の流体伝導要素１５０は、スイベルヨーク／ブロックＯリング１１５；スイベルヨークフラッシュソケット１１６；およびスイベルヨーク圧力プラグ１１７によって、第２の流体伝導要素１４０に連結される。
【００１６】
代替的には、エンドキャップ１０４、エンドキャップカバー１１０のいずれかまたはその両方共が、スイベルコネクタアセンブリ１００の第１の流体伝導要素１３０の一部でなく、工具１の一部として形成されてもよい。代替的には、エンドキャップ１０４、エンドキャップカバー１１０のいずれかまたは両方共が、追加の流体伝導要素、つまりこの場合には第４の流体伝導要素として形成されてよい。一般的にはスイベルコネクタアセンブリ１００そして特定的には流体伝導要素１３０、１４０または１５０のいずれかの部品を、異なる流体伝導要素または工具１００のいずれかの一部として形成してよいという点に留意されたい。
【００１７】
一例として図８Ａを参照すると、この図は、上向き位置にあるスイベルコネクタアセンブリ１００を伴う工具１を示している。一例として図８Ｂを参照すると、この図は、図８Ａの位置に比べて時計回り方向でページの奥へ向かって９０°回転させられたスイベルコネクタアセンブリ１００を伴う工具１を示している。スイベルコネクタアセンブリ１００は、オペレータが工具１を反対側から見た場合にそれが目に入らないように位置づけ可能である。
【００１８】
有利には、第１の流体伝導要素１３０は第１の軸Ａ100を中心にして３６０°回転可能であり；第２の流体伝導要素１４０は第２の軸Ｂ100を中心にして３６０°回転可能であり；第３の流体伝導要素は第３の軸Ｃ100を中心として３６０°未満回転可能である。スイベルコネクタアセンブリ１００は、工具１、スイベルコネクタアセンブリ１００および／または流体伝導ラインの自由な運動を可能にして、これらのいずれかの部分がファスナーの締緩と干渉するのを回避する。それは、ファスナーの締緩と関連して工具１の寸法が増大するのを回避する。スイベルコネクタアセンブリは、オペレータが反対側から工具を見たときにそれが見えないように位置付け可能である。そしてオペレータは、工具１の作動中、流体伝導ラインを容易にほどくことができる。
【００１９】
一例として図９〜１１を参照すると、これらの図は、一次スイベルコネクタアセンブリ支柱９０１により工具１のハウジング２の側面に取付け可能である別のスイベルコネクタアセンブリ９００を示す。一般に、図１〜８Ｂに関連する論述は、図９〜１１にもあてはまる。
【００２０】
スイベルコネクタアセンブリ９００は、工具１に対して油圧流体を供給し、第１の軸Ａ900を中心にして一次スイベルコネクタアセンブリ支柱９０１と回転自在に連結可能である第１の流体伝導要素９３０と；第１の軸Ａ900に実質的に垂直な第２の軸Ｂ900を中心にして第１の流体伝導要素９３０と回転自在に連結可能である第２の流体伝導要素９４０と；第２の軸Ｂ900に実質的に垂直な第３の軸Ｃ900を中心にして第２の流体伝導要素９４０と回転自在に連結可能でありかつ流体伝導ライン（単複）（図示せず）と連結可能である第３の流体伝導要素９５０と、を具備する。
第１および第２の流体導管９２１および９２２が、第１、第２および第３の流体伝導要素９３０、９４０および９５０を通して工具１および流体伝導ラインへおよびそれらから流体を移送する。第１の軸Ａ900が、ハウジング２の外側表面に対して実質的に垂直であるという点に留意されたい。
【００２１】
一次スイベルコネクタアセンブリ支柱９０１は、一次スイベルコネクタアセンブリ支柱封止用Ｏリング９０７；および一次スイベルコネクタアセンブリ支柱固定ネジ９０９によって、工具１のハウジング２の外側表面に連結されている。
【００２２】
第１の流体伝導要素９３０は、一次スイベルコネクタアセンブリ接合ブロック９０５を具備する。第１の流体伝導要素９３０は、スイベルブロック／ブラケットＯリング９０８；スイベルブロック／ブラケット支柱保持用リング９１２；およびスイベルブロック／ブラケット支柱座金９１８によって、一次スイベルコネクタアセンブリ支柱９０１に連結されている。
【００２３】
第２の流体伝導要素９４０は、底面および上面スイベルヨーク部分９１４を伴うスイベルヨーク９１３の間に形成された二次スイベルコネクタアセンブリ支柱９４１を具備する。第２の流体伝導要素９４０は、スイベルヨーク／ブロックＯリング９１５；スイベルヨークフラッシュソケット９１６；およびスイベルヨーク圧力プラグ９１７によって、第１の流体伝導要素９３０に連結される。ヨークネジ９１１が、スイベルヨーク部分９１４と２次アセンブリ支柱９４１を合わせて保持している。
【００２４】
第３の流体伝導要素９５０は、二次スイベルコネクタアセンブリ接合ブロック９５１と、メス型およびオス型スイベルヨークカプラ９１９および９２０を具備する。第３の流体伝導要素９５０は、二次スイベルコネクタアセンブリ接合ブロック９５１内に二次スイベルコネクタアセンブリ９４１を挿入することによって第２の流体伝導要素９４０に連結され、スイベルヨーク／ブロックＯリング９５２で封止されている。
【００２５】
代替的には、一次スイベルコネクタアセンブリ支柱９０１は、スイベルコネクタアセンブリ９００の第１の流体伝導要素９３０の一部であってよい。代替的には、一次スイベルコネクタアセンブリ支柱９０１を追加の流体伝導要素、つまりこの場合には第４の流体伝導要素として形成してよい。一般的にはスイベルコネクタアセンブリ９００そして特定的には流体伝導要素９３０、９４０または９５０のいずれかの部品を、異なる流体伝導要素または工具１のいずれかの一部として形成してよいという点に留意されたい。
【００２６】
有利には、第１の流体伝導要素９３０は第１の軸Ａ900を中心にして３６０°回転可能であり；第２の流体伝導要素１４０は第２の軸Ｂ100を中心にして３６０°回転可能であり；第３の流体伝導要素は（ハウジング２により制限される通りに）第３の軸Ｃ100を中心として３６０°未満回転可能である。スイベルコネクタアセンブリ１００は、工具１、スイベルコネクタアセンブリ１００および／または流体伝導ラインの自由な運動を可能にして、これらのいずれかの部分がファスナーの締緩と干渉するのを回避する。それは、ファスナーの締緩に関連して工具１の寸法が増大するのを回避する。スイベルコネクタアセンブリは、オペレータが反対側から工具を見たときにそれが見えないように位置付け可能である。そしてオペレータは、工具１の作動中、流体伝導ラインを容易にほどくことができる。
【００２７】
スイベルコネクタアセンブリ９００の諸部分、例えば第２および第３の流体伝導要素９４０および９５０を、スイベルコネクタアセンブリ１００の諸部分、例えば第３の流体伝導要素１４０および１５０の代りに使用するかまたはそれらに追加してよいという点に留意されたい。この場合、スイベルコネクタアセンブリ１００は、第３の軸Ｃ100に対し実質的に垂直な第４の軸を中心として３６０°回転可能である第４の流体伝導要素を具備すると考えられる。
【００２８】
第１、第２、第３および／または第４の流体伝導要素を、記述された量よりも少なく回転するように制限するかまたはそれよりも多く回転できるようにしてもよいという点に留意されたい。第１、第２、第３および／または第４流体伝導要素は例えば３０°、４５°、６０°、９０°および／または１８０°毎などの角度間隔で回転可能であってよくかつ／または連続的に回転できるようにされてもよいという点に留意されたい。第１、第２、第３（および／または第４）の軸が、実質的に互いに垂直超または未満であってよいという点に留意されたい。
【００２９】
第１および第２の流体導管１２１および／または９２１および／または１２２および／または９２２が、特に、参照により本明細書にそのコピー全体が援用されている上記関連特許の相互参照の項で言及された特許中で論述されている任意の公知の構成要素、幾何形状および／または特徴を包含していてよいという点に留意されたい。
【００３０】
工具１および／またはスイベルコネクタアセンブリ１００および／または９００が、特に、参照により本明細書にそのコピー全体が援用されている上記関連特許の相互参照の項で言及された特許中で論述されている任意の公知の構成要素、幾何形状および／または特徴を包含していてよいという点に留意されたい。
【００３１】
上述の流体伝達要素の各々または２つ以上を合わせたものが同様に上述のタイプとは異なる他のタイプの構成においても有効に応用され得ることが理解される。開示された機能を実施するための手段または開示された結果を達成するための方法またはプロセスに関して、あるいはその具体的形態で表現された上述の説明または以下のクレームまたは添付図面に開示されている特徴は、本発明をそのさまざまな形態で実現するために、適宜、別個にまたはこのような特徴の任意の組合せの形で使用されてよい。
【００３２】
本発明は、流体作動式工具において実施された状態で例示され記述されてきたが、本発明は、その精神からいかなる形であれ逸脱することなくさまざまな修正および構造的変化を加えることができることから、示された詳細に限定されるよう意図されてはいない。
【００３３】
さらなる分析を行なわなくとも、以上で本発明の要点は極めて完全な形で明らかにされていることから、何人であれ現在の知識を応用することで、先行技術の観点から見て本発明の包括的または特定的態様の本質的特徴を適正に構成する特徴を省略することなく、さまざまな利用分野のためにこの要点を適応させることができる。
【００３４】
本明細書およびクレーム中で使用されている「具備する（Ｃｏｍｐｒｉｓｉｎｇ、ｉｎｃｌｕｄｉｎｇ）」、「有する（ｈａｖｉｎｇ）」という用語およびそれらの変形形態は、特定された特徴、ステップまたは整数が内含されることを意味している。これらの用語は、他の特徴、ステップまたは構成要素の存在を排除するものと解釈されるべきではない。
【図１】
2014529716.tif 000003
【図２】
2014529716.tif 000004
【図３】
2014529716.tif 000005
【図４】
2014529716.tif 000006
【図５】
2014529716.tif 000007
【図６】
2014529716.tif 000008
【図７】
2014529716.tif 000009
【図８Ａ】
2014529716.tif 000010
【図８Ｂ】
2014529716.tif 000011
【図９】
2014529716.tif 000012
【図１０】
2014529716.tif 000013
【図１１】
2014529716.tif 000014
【国際調査報告】
2014529716.tif 000015
2014529716.tif 000016
2014529716.tif 000017
2014529716.tif 000018